(57)【要約】【課題】収納ケースが不用意に載置台から外れることのないアイロン装置を提供する。【解決手段】アイロン本体（図示せず）を載置する載置台１０と、アイロン本体を包囲すると共に載置台１０で下方開口が閉じられる収納ケース１２と、載置台１０と収納ケースを着脱自在に結合するロック装置１４とを具備し、ロック装置１４は、収納ケース１２に一体に形成された操作部１５及びロック体１７と、載置台１０に形成されロック体１７に嵌合するロック部２２とからなり、載置台１０に収納ケース１２の内面を全周嵌合させる壁部（図示せず）を形成すると共に、壁部の高さを、ロック体１７とロック部２２の上下方向の隙間よりも高く形成したもので、アイロン装置の運搬時等に、収納ケース１２に不測の外力等の衝撃が加わっても、壁部により、収納ケース１２が内側へ変形するのが防止され、ロック体１７とロック部２２との嵌合が不用意に外れる事がない。【選択図】図２
2006255254.tif 000002
【特許請求の範囲】
【請求項１】
アイロン本体を載置する載置台と、前記アイロン本体を包囲すると共に前記載置台で下方開口が閉じられる収納ケースと、前記載置台と前記収納ケースを着脱自在に結合するロック装置とを具備し、前記ロック装置は、前記収納ケースに一体に形成された操作部及びロック体と、前記載置台に形成され前記ロック体に嵌合するロック部とからなり、前記載置台に前記収納ケースの内面を全周嵌合させる壁部を形成すると共に、前記壁部の高さを、前記ロック体と前記ロック部の上下方向の隙間よりも高く形成したアイロン装置。
【請求項２】
アイロン本体を載置すると共に電源コードを収納する載置台と、前記アイロン本体を包囲すると共に前記載置台で下方開口が閉じられる収納ケースと、前記載置台と前記収納ケースを着脱自在に結合するロック装置とを具備し、前記ロック装置は、前記収納ケースに一体に形成された操作部及びロック体と、前記載置台に形成され前記ロック体に嵌合するロック部とからなり、前記載置台の前記電源コードを引き出すコード引き出し部に前記収納ケースの内面に嵌合する壁部を形成し、前記壁部の高さを、前記ロック体と前記ロック部の上下方向の隙間よりも高く形成したアイロン装置。
【発明の詳細な説明】
【技術分野】
【０００１】
本発明は、衣類等のしわ伸ばしを行うアイロン装置に関するもので、特に、載置台と収納ケースを結合するロック装置に関するものである。
【背景技術】
【０００２】
従来、この種のアイロン装置のアイロン収納ケースの下方は、アイロン本体を上方から覆うため開口し、その開口部の近傍に、アイロン本体を載置した載置台と着脱自在に結合するためのロック装置が設けられていた（例えば、特許文献１参照）。
【０００３】
図７は、前記特許文献１に記載された従来のアイロン装置の要部断面図を示すもので、アイロン装置は、アイロン本体（図示せず）を載置する載置台１と、アイロン本体を包囲し、かつ、載置台１で下方開口が閉じられる収納ケース２と、載置台１と収納ケース２を着脱自在に結合するロック装置３とを具備している。ロック装置３は、収納ケース２に一体に形成した操作部４と、収納ケース２に一体に形成され、かつ、上方に突出した爪部５を有するロック体６と、載置台１の側面に、前記ロック体６に対向してロック部７が設けてあり、ロック部７は、ロック体６と上下方向に所定の遊びをおいて係合する当接部８と、ロック体６の爪部５が嵌合する係合溝９を有しており、操作部４は収納ケース２の側面より外側へ突出するように膨出形成し、操作部４の上面には収納ケース２の側面との間に所定の空間を有して上方への突出部を形成するように構成したものである。
【０００４】
以上のように構成されたアイロン装置について、その動作を説明する。収納ケース２を取外す場合は、収納ケース２が載置台１上に置かれた状態にして、収納ケース２に一体で設けられた操作部４の上面と下面を指で挟むよう把持し、樹脂製の収納ケース２の弾性に抗して外方に開くように操作部４を変位させる。このとき、ロック部７の下端は爪部５の上端より上方に位置しているためロック体６とロック部７との係合が解除されており、そのまま収納ケース２を持ち上げることによって載置台１から離脱することができるものである。
【特許文献１】特開２００１−２９３２９９号公報
【発明の開示】
【発明が解決しようとする課題】
【０００５】
しかしながら、このような従来のアイロン装置では、収納ケース２が載置台１上に置かれた状態や運搬時に不測の外力等の衝撃が収納ケース２に加えられたとき、収納ケース２内側を載置台と嵌合させていない箇所、例えば電源コード引き出し部において、収納ケース２が内側へ変形することになる。このとき、収納ケース２に一体に設けたロック体６は解錠方向へ動作することによりロック解除の状態になり、収納ケース２が不用意に載置台１から外れてしまうという課題があった。
【０００６】
本発明は、上記従来の課題を解決するもので、安価な構成で収納ケースが内側へ変形するのを防止し、信頼性を向上させたアイロン装置を提供することを目的としている。
【課題を解決するための手段】
【０００７】
前記従来の課題を解決するために、本発明のアイロン装置は、アイロン本体を載置する載置台と、前記アイロン本体を包囲すると共に前記載置台で下方開口が閉じられる収納ケースと、前記載置台と前記収納ケースを着脱自在に結合するロック装置とを具備し、前記ロック装置は、前記収納ケースに一体に形成された操作部及びロック体と、前記載置台に形成され前記ロック体に嵌合するロック部とからなり、前記載置台に前記収納ケースの内面を全周嵌合させる壁部を形成すると共に、前記壁部の高さを、前記ロック体と前記ロック部の上下方向の隙間よりも高く形成したもので、安価な構成で、収納ケースが載置台上に置かれた状態や運搬時に、不測の外力等の衝撃が収納ケースに加えられた場合においても、壁部により、収納ケースが内側へ変形するのが防止されるので、ロック体とロック部との嵌合が不用意に外れる事がなく、信頼性を向上させることができる。
【０００８】
また、本発明のアイロン装置は、アイロン本体を載置すると共に電源コードを収納する載置台と、前記アイロン本体を包囲すると共に前記載置台で下方開口が閉じられる収納ケースと、前記載置台と前記収納ケースを着脱自在に結合するロック装置とを具備し、前記ロック装置は、前記収納ケースに一体に形成された操作部及びロック体と、前記載置台に形成され前記ロック体に嵌合するロック部とからなり、前記載置台の前記電源コードを引き出すコード引き出し部に前記収納ケースの内面に嵌合する壁部を形成し、前記壁部の高さを、前記ロック体と前記ロック部の上下方向の隙間よりも高く形成したもので、安価な構成で、収納ケースが載置台上に置かれた状態や運搬時に不測の外力等の衝撃が収納ケースに加えられた場合においても、コード引き出し部で収納ケースが内側へ変形することがないので、ロック体とロック部との嵌合が不用意に外れる事がなく、信頼性を向上させることができる。
【発明の効果】
【０００９】
本発明のアイロン装置は、ロック装置を安価に構成させると共に、安全性を向上させたアイロン装置を実現させることができる。
【発明を実施するための最良の形態】
【００１０】
第１の発明は、アイロン本体を載置する載置台と、前記アイロン本体を包囲すると共に前記載置台で下方開口が閉じられる収納ケースと、前記載置台と前記収納ケースを着脱自在に結合するロック装置とを具備し、前記ロック装置は、前記収納ケースに一体に形成された操作部及びロック体と、前記載置台に形成され前記ロック体に嵌合するロック部とからなり、前記載置台に前記収納ケースの内面を全周嵌合させる壁部を形成すると共に、前記壁部の高さを、前記ロック体と前記ロック部の上下方向の隙間よりも高く形成したもので、安価な構成で、収納ケースが載置台上に置かれた状態や運搬時に、不測の外力等の衝撃が収納ケースに加えられた場合においても、壁部により、収納ケースが内側へ変形するのが防止されるので、ロック体とロック部との嵌合が不用意に外れる事がなく、信頼性を向上させることができる。
【００１１】
第２の発明は、アイロン本体を載置すると共に電源コードを収納する載置台と、前記アイロン本体を包囲すると共に前記載置台で下方開口が閉じられる収納ケースと、前記載置台と前記収納ケースを着脱自在に結合するロック装置とを具備し、前記ロック装置は、前記収納ケースに一体に形成された操作部及びロック体と、前記載置台に形成され前記ロック体に嵌合するロック部とからなり、前記載置台の前記電源コードを引き出すコード引き出し部に前記収納ケースの内面に嵌合する壁部を形成し、前記壁部の高さを、前記ロック体と前記ロック部の上下方向の隙間よりも高く形成したもので、安価な構成で、収納ケースが載置台上に置かれた状態や運搬時に不測の外力等の衝撃が収納ケースに加えられた場合においても、コード引き出し部で収納ケースが内側へ変形することがないので、ロック体とロック部との嵌合が不用意に外れる事がなく、信頼性を向上させることができる。
【００１２】
以下、本発明の実施の形態について、図面を参照しながら説明する。また、この実施の形態によって本発明が限定されるものではない。
【００１３】
（実施の形態１）
図１は、本発明の第１の実施の形態におけるアイロン装置の側面図、図２は、図１のＡ−Ａ断面図、図３は、同アイロン装置の収納ケースの要部斜視図、図４は、同収納ケースの断面図、図５は、同アイロン装置の載置台の要部斜視図、図６は、図５のＢ−Ｂ断面図である。
【００１４】
図１〜６において、１０は、アイロン本体１１を載置すると共に電源コード２４を内蔵した載置台、１２は、アイロン本体１１の全体を上方から覆う樹脂製の収納ケースで、その下方開口部が載置台１０の外周部全周と嵌合し、天面には運搬用のハンドル１３を回動自在に設けている。収納ケース１２の下方開口部近傍には、収納ケース１２と載置台１０とを着脱自在に結合するロック装置１４を設けている。
【００１５】
ロック装置１４の収納ケース１２側には、収納ケース１２と一体に形成した操作部１５と、上方に突出した爪部１６を有すると共に収納ケース１２と一体にその内面に沿って近接して設けられた複数のロック体１７と、複数の各々のロック体１７と収納ケース１２を連結する連結部１８が設けられている。操作部１５は、収納ケース１２の側面より外方へ突出するように膨出形成し、操作部１５の上面１５ｂには、収納ケース１２の側面との間に所定の空間を有して上方に突出する突出部１９を形成しており、操作部１５の下端１５ａは、収納ケース１２の下端１２ａから所定量上方に位置するように設けている。
【００１６】
ロック装置１４の載置台１０側には、ロック体１７に対向して載置台１０の側面にロック部２２が設けてあり、このロック部２２は、ロック体１７と上下方向に所定の遊び、すなわち隙間をおいて係合する当接部２０と、ロック体１７の爪部１６が嵌合する係合溝２１が設けられている。また、載置台１０には、電源コード２４を引き出すコード引き出し部１０ａが設けられ、そのコード引き出し部１０ａに壁部２３を形成すると共に、壁部２３はロック装置１４の上下方向の隙間よりも高く形成している。
【００１７】
上記構成におけるアイロン装置の動作を説明すると、まず、収納ケース１２を取り外す場合は、図１に示すように、収納ケース１２を載置台１０に置いた状態にして、操作部１５の上面１５ｂと下端１５ａを指で挟むように把持し、樹脂製の収納ケース１２の弾性に抗して外方（矢印ａ方向）に開くように操作部１５を変位させる。この時、操作部１５の上面１５ｂに突出部１９を設けているため、指の滑り等がなく確実かつ容易に操作することができる。
【００１８】
また、操作部１５の下端１５ａは、収納ケース１２の下端１２ａから所定量上方に位置するように設けているため、操作部１５を指で容易に把持することができる。上記のようにロック装置１４の解錠動作を行うときは、ロック部２２の下端はロック体１７の上端より上方に位置しているため、ロック体１７とロック部２２との係合が解除されている。したがって、そのままの状態で収納ケース１２を上方に持ち上げることによって載置台１０から収納ケース１２を離脱することができる。
【００１９】
次に、アイロン掛け作業が終了し、アイロン本体１１を収納するときは、アイロン本体１１を載置台１０上に載置し、アイロン本体１１を上方から覆うように収納ケース１２をかぶせ下方へ下げていくと、ロック体１７がロック部２２に当接し、さらに下げると樹脂製の収納ケース１２自身の弾性により外側へ広がるように変位し、ロック体１７がロック部２２を超えたところで載置台１０側へ戻る。
【００２０】
このような状態で、収納ケース１２と載置台１０が結合された収納ケース１２を運搬するときは、収納ケース１２の上方に設けられたハンドル１３を持ち上げると、収納ケース１２と共にロック体１７が上方向へ移動し、ロック体１７及び連結部１８が載置台１０に設けたロック部２２の当接部２０と係合して載置台１０が持ち上げられる。
【００２１】
すなわち、収納ケース１２を持ち上げた状態では、収納ケース１２と一体に形成したロック体１７と、複数のロック体１７を連結する連結部１８が、載置台１０に設けた当接部２０と面全体で当接するため、ロック体１７による載置台１０の保持力が強化されると同時に、運搬時に不測に外力等の衝撃が加わった場合でも、載置台１０の外周に形成した壁部２３が収納ケース１２の内側に嵌合することから、収納ケース１２の変形によりロック体１７が解錠方向へ動作するのを規制することができるため、不用意にロックが解除されることがことがなく、安全性の高いアイロン装置が得られる。
【産業上の利用可能性】
【００２２】
以上のように、本発明にかかるアイロン装置は、安価な構成でロック装置を構成できる共に、安全性に優れたもので、アイロン装置に限らず、複数の部品の嵌合をロックするロック装置を有する各種機器、装置にも適用できる。
【図面の簡単な説明】
【００２３】
【図１】本発明の実施の形態１におけるアイロン装置の側面図
【図２】図１のＡ−Ａ断面図
【図３】同アイロン装置の収納ケースの要部斜視図
【図４】同収納ケースの断面図
【図５】同アイロン装置の載置台の要部斜視図
【図６】図５のＢ−Ｂ断面図
【図７】従来のアイロン装置の要部断面図
【符号の説明】
【００２４】
１０  載置台
１１  アイロン本体
１２  収納ケース
１４  ロック装置
１５  操作部
１７  ロック体
２２  ロック部
２３  壁部
【図１】
2006255254.tif 000003
【図２】
2006255254.tif 000004
【図３】
2006255254.tif 000005
【図４】
2006255254.tif 000006
【図５】
2006255254.tif 000007
【図６】
2006255254.tif 000008
【図７】
2006255254.tif 000009